(57)【要約】【課題】  作業者の負担を軽減できる手動式ケーブルカッターの提供。【解決手段】  少なくとも一方のハンドル２Ａの支点ｆ１を他方のハンドル２Ｂと連結する切断刃１Ｂに設けた突片３に設定すると共に、該ハンドル２Ａの中途部２Ａｃと切断刃１Ａの後端部１Ａｂとをスライダー機構５を介して連結し該連結した点を同ハンドルの作用点ｆ３として設定することにより、該ハンドル２Ａの支点ｆ１と力点ｆ２間に作用点ｆ３を設定し、ハンドル２Ａの支点ｆ１と、切断刃１Ａと切断刃１Ｂとの接点Ｐ１との支軸１１の中心Ｏを頂点とする角度θを適切な範囲に設定すると共に、支軸１１の中心Ｏとハンドル２Ａの支点ｆ１間の長さＬ１と、ハンドル２Ａの支点ｆ１と作用点ｆ３間の長さＬ２と、ハンドル２Ａの作用点ｆ３と支軸１１の中心Ｏ間の長さＬ３の比を適切な範囲に設定する。【選択図】  図１
2015223643.tif 000002
【特許請求の範囲】
【請求項１】
支軸に回動可能に軸支される一対の切断刃と、該各切断刃の後端部にそれぞれ連結し該連結した切断刃を回動させる一対のハンドルとを備える手動式ケーブルカッターであって、以下のＡ乃至Ｄの構成を有することを特徴とする手動式ケーブルカッター。
Ａ：上記一対のハンドルの少なくとも一方のハンドルの回動中心となる支点を他方のハンドルと連結する切断刃に設けた突片に設定すると共に、該一方のハンドルの中途部と、連結対象の切断刃の後端部とをスライダー機構を介して連結し該連結した点を同ハンドルの作用点として設定することにより、該一方のハンドルの支点と力点間に作用点を設定する、
Ｂ：上記一方のハンドルの支点と、上記一方のハンドルと連結する切断刃の後端部における他方の切断刃の後端部との接点とを上記支軸の中心を頂点として０度より大きく１８０度より小さい角度となるように設定する、
Ｃ：上記角度が０度より大きく９０度以下の場合には、上記支軸の中心と上記一方のハンドルの支点間の長さと、該一方のハンドルの支点と作用点間の長さと、該一方のハンドルの作用点と上記支軸の中心間の長さの比が０．４〜２．４：３．０〜５．０：３．６〜５．６となるように設定する、
Ｄ：上記角度が９０度より大きく１８０度より小さい場合には、上記支軸の中心と上記一方のハンドルの支点間の長さと、該一方のハンドルの支点と作用点間の長さと、該一方のハンドルの作用点と上記支軸の中心間の長さの比が０．２〜２．２：３．６〜５．６：３．２〜５．２となるように設定する。
【請求項２】
上記突片は同突片が設けられる切断刃とは別体であることを特徴とする請求項１記載の手動式ケーブルカッター。
【請求項３】
上記突片は固定部を有し、該固定部を介して上記切断刃に溶接して固定されることを特徴とする請求項２記載の手動式ケーブルカッター。
【請求項４】
上記突片は固定部を有し、該固定部を介して上記切断刃にボルト締めして固定されることを特徴とする請求項２記載の手動式ケーブルカッター。
【請求項５】
上記切断刃に上記ボルト締め用のボルト孔を複数穿設し、該複数のボルト孔を利用して上記突片の固定位置を調整可能としたことを特徴とする請求項４記載の手動式ケーブルカッター。
【請求項６】
上記切断刃の先端部における刃部の中途部に凸状刃部を設け、該凸状刃部と刃部基端間に円弧状刃部を設けたことを特徴とする請求項１乃至請求項５の何れかに記載の手動式ケーブルカッター。
【発明の詳細な説明】
【技術分野】
【０００１】
本発明は、ワイヤー・電力線・通信線等のケーブルや鋼管・鉄筋・木材・木の枝等の棒状材又は管状材を切断する手動式ケーブルカッターに関するものである
【背景技術】
【０００２】
従来の手動式ケーブルカッターは、支軸に回動可能に軸支される一対の切断刃と、該各切断刃の後端部に連結した一対のハンドルとを備える構成であり、該各ハンドルを上記支軸を支点として回動操作することにより、上記各切断刃を閉方向に回動させてケーブル等を切断する。
【０００３】
手動式ケーブルカッターは人力により操作する器具であるため、可及的に小さい力でケーブル等を切断できることが望ましい。既に出願人は、下記特許文献１に示すように、切断時のハンドル操作に要する力を軽減できる手動式ケーブルカッターを開発し意匠登録している。
【０００４】
下記特許文献１の手動式ケーブルカッターは、支軸に回動可能に軸支される一対の切断刃と、該各切断刃の後端部とそれぞれ連結する一対のハンドルとを備え、該一対のハンドルにおける一方のハンドルの回動中心となる支点を他方のハンドルと連結する切断刃に設けた突片に設定すると共に、該一方のハンドルの中途部と、連結対象の切断刃の後端部とをスライダー機構を介して連結し該連結した点を上記一方のハンドルの作用点として設定することにより、該一方のハンドルの支点と力点間に作用点を設定する構成となっており、当該構成によって上記一方のハンドルの力点に加えた力より大きい力を作用点に作用させて切断刃に回動力を付与することができ、より小さい力でケーブル等を切断できる。
【先行技術文献】
【特許文献】
【０００５】
【特許文献１】意匠登録第１３７５２２４号公報
【発明の概要】
【発明が解決しようとする課題】
【０００６】
既述のとおり、上記特許文献１の手動式ケーブルカッターは、一方のハンドルの回動中心たる支点を切断刃の回動中心たる支軸の中心から敢えてずらし、且つ該一方のハンドルの中途部をスライダー機構を介して一方の切断刃に連結し該連結した点を同ハンドルの作用点として設定することにより、該一方のハンドルの支点と力点間に作用点を設定し、所謂第二種テコの原理を応用して小さい力で切断刃に回動力を付与することができる。
【０００７】
又上記特許文献１の手動式ケーブルカッターは、上記スライダー機構内で直線運動する上記作用点を当該スライダー機構によって上記切断刃の回動運動に効率良く変換することができる。
【０００８】
しかしながら、出願人は上記特許文献１の手動式ケーブルカッターによる効果が上記支点及び上記作用点の設定の構成によっては限定的であることを見出し、鋭意研究の結果、上記効果を存分に発揮できる上記支点及び上記作用点の構成を突き止めて本発明を想到するに至ったものである。
【課題を解決するための手段】
【０００９】
本発明は上記特許文献１の手動式ケーブルカッターの構成を踏襲しつつ該構成による効果を十分に発揮するための構成を更に追加したものである。
【００１０】
要述すると、本発明に係る手動式ケーブルカッターは、支軸に回動可能に軸支される一対の切断刃と、該各切断刃の後端部にそれぞれ連結し該連結した切断刃を回動させる一対のハンドルとを備え、以下のＡ乃至Ｄの構成を有することを特徴とするものである。
Ａ：上記一対のハンドルの少なくとも一方のハンドルの回動中心となる支点を他方のハンドルと連結する切断刃に設けた突片に設定すると共に、該一方のハンドルの中途部と、連結対象の切断刃の後端部とをスライダー機構を介して連結し該連結した点を同ハンドルの作用点として設定することにより、該一方のハンドルの支点と力点間に作用点を設定する、
Ｂ：上記一方のハンドルの支点と、上記一方のハンドルと連結する切断刃の後端部における他方の切断刃の後端部との接点とを上記支軸の中心を頂点として０度より大きく１８０度より小さい角度となるように設定する、
Ｃ：上記角度が０度より大きく９０度以下の場合には、上記支軸の中心と上記一方のハンドルの支点間の長さと、該一方のハンドルの支点と作用点間の長さと、該一方のハンドルの作用点と上記支軸の中心間の長さの比が０．４〜２．４：３．０〜５．０：３．６〜５．６となるように設定する、
Ｄ：上記角度が９０度より大きく１８０度より小さい場合には、上記支軸の中心と上記一方のハンドルの支点間の長さと、該一方のハンドルの支点と作用点間の長さと、該一方のハンドルの作用点と上記支軸の中心間の長さの比が０．２〜２．２：３．６〜５．６：３．２〜５．２となるように設定する。
【００１１】
好ましくは、上記突片は同突片が設けられる切断刃とは別体とし、専用の切断刃を製造する必要をなくすと共に、一対の切断刃を共通形状とすることも可能とする。
【００１２】
更に好ましくは、上記突片は固定部を有し、該固定部を介して上記切断刃に溶接して固定される構成とし、又は該固定部を介して上記切断刃にボルト締めして固定される構成とする。
【００１３】
上記突片を上記切断刃にボルト締めして固定する場合には、上記切断刃に上記ボルト締め用のボルト孔を複数穿設し、該複数のボルト孔を利用して上記突片の固定位置を調整可能とすることもできる。
【００１４】
又上記切断刃の先端部における刃部の中途部に凸状刃部を設け、該凸状刃部と刃部基端間に円弧状刃部を設ける構成により、切断対象のケーブル等の外周面を確実に捉えて切断することができる。
【発明の効果】
【００１５】
本発明に係る手動式ケーブルカッターによれば、ハンドルに加える力以上の力で切断刃を回動することができ、作業者の負担を軽減できる。
【００１６】
又切断刃に特殊形状の刃部を付与し、より確実にケーブル等を切断することができる。
【図面の簡単な説明】
【００１７】
【図１】実施例１に係る手動式ケーブルカッターの正面図。
【図２】図１のＡ−Ａ線断面図。
【図３】閉状態の一対の切断刃を拡大して示す説明図。
【図４】実施例１に係る手動式ケーブルカッターの背面図。
【図５】（Ａ）は切断刃に設ける突片の固定例を拡大して示す説明図、（Ｂ）は（Ａ）のＢ−Ｂ線断面図。
【図６】（Ａ）は切断刃に設ける突片の固定例の他例を拡大して示す説明図、（Ｂ）は（Ａ）のＣ−Ｃ線断面図。
【図７】一対の切断刃を開状態にした実施例１に係る手動式ケーブルカッターの正面図。
【図８】実施例２に係る手動式ケーブルカッターの背面図。
【発明を実施するための形態】
【００１８】
以下、本発明の最良の形態を図１乃至図８に基づき説明する。
【実施例１】
【００１９】
本実施例に係る手動式ケーブルカッターは、図１・図４に示すように、支軸１１に回動可能に軸支される一対の切断刃１Ａ・１Ｂと、該各切断刃１Ａ・１Ｂの後端部１Ａｂ・１Ｂｂにそれぞれ連結し該連結した切断刃を回動させる一対のハンドル２Ａ・２Ｂとを備える基本構成を具備している。又上記一対の切断刃１Ａ・１Ｂはそれぞれの先端部１Ａａ・１Ｂａにケーブル等を切断する刃部４を有している。
【００２０】
加えて一対のハンドル２Ａ・２Ｂの一方のハンドル２Ａの回動中心となる支点ｆ１を他方のハンドル２Ｂと連結する切断刃１Ｂに設けた突片３に設定する構成を具備する。即ち該ハンドル２Ａの先端部２Ａａを切断刃１Ｂに設けた突片３にハンドル軸１２を介して軸支し、該ハンドル軸１２の中心を支点ｆ１として設定する。尚作業者は一方のハンドル２Ａの後端部２Ａｂを把持し同ハンドルの回動操作を行うこととなるため、該後端部２Ａｂに一方のハンドル２Ａの力点ｆ２が設定されている。
【００２１】
次いで、上記した切断刃１Ｂに設けた突片３について詳述する。該突片３は同突片３が設けられる切断刃１Ｂと一体に設けても良いが、本実施例においては、該突片３を切断刃１Ｂと別体とした場合について説明する。このように突片３を切断刃１Ｂと別体とすることにより、突片３を一体化した専用切断刃１Ｂを製造する必要がないと共に、一対の切断刃１Ａ・１Ｂを共通形状とすることも可能となる。
【００２２】
上記突片３は楕円板状を呈し、一端部に上記ハンドル軸１２を設けると共に他端部に固定部３ａを有し、該固定部３ａを介して切断刃１Ｂに溶接して固定する。例えば、図５に示すように、切断刃１Ｂの裏面に形成した凹所６に突片３の固定部３ａを嵌合しつつ溶接して該突片３を切断刃１Ｂに固定する。尚本発明にあっては、切断刃１Ｂに凹所６を形成せず、切断刃１Ｂの表面又は裏面に直接突片３の固定部３ａを溶接することを排除しない。又突片３は固定部３ａを有することができれば、楕円板状に限定されない。
【００２３】
又突片３の他の固定例として、図６に示すように、突片３の固定部３ａを切断刃１Ｂにボルト締めして固定する。詳述すると、切断刃１Ｂにボルト孔９を穿設すると共に突片３の固定部３ａにもボルト孔３ｂを穿設し、これらボルト孔９・３ｂにボルト７を貫挿し、該ボルト７の先端にナット８を螺合してボルト締めする。加えて突片３の固定部３ａに支軸用の孔３ｃを穿設し、支軸１１を貫挿して両切断刃１Ａ・１Ｂと共に軸支する。
【００２４】
上記切断刃１Ｂに穿設したボルト孔９は支軸１１の中心Ｏを基準とする円弧状に複数穿設し上記突片３の固定位置を調整できるようにする。
【００２５】
又上記のように突片３を切断刃１Ｂにボルト締めして固定する構成により、ボルト７の軸７ａが一対の切断刃１Ａ・１Ｂの破損を防止するブレーカーとして機能する。即ち切断対象のケーブルが強固であり該ケーブルの外周面に接している一対の切断刃１Ａ・１Ｂにそれ以上の力が加わると当該切断刃１Ａ・１Ｂの刃部４が破損してしまうような場合、ボルト７の軸７ａが積極的に折断し、一方のハンドル２Ａから一方の切断刃１Ａへの力の伝達を遮断する。
【００２６】
又本実施例に係る手動式ケーブルカッターにあっては、図１に示すように、一方のハンドル２Ａの中途部２Ａｃと、連結対象の切断刃１Ａの後端部１Ａｂとをスライダー機構５を介して連結し該連結した点を一方のハンドルの作用点ｆ３として設定することにより、該一方のハンドル２Ａの支点ｆ１と力点ｆ２間に作用点ｆ３を設定する構成を具備する。
【００２７】
上記スライダー機構５は、図２に示すように、一方の切断刃１Ａの後端部１Ａｂに設けたスライダー軸５ａと、一方のハンドル２Ａの中途部２Ａｃに穿設したスライダー溝５ｂとから成り、該一方の切断刃後端部１Ａｂと一方のハンドル中途部２Ａｃとを連結する。そして上記スライダー軸５ａの中心を一方のハンドル２Ａの作用点ｆ３として設定する。
【００２８】
上記スライダー軸５ａは上記スライダー溝５ｂ内で直線運動しつつ、一方の切断刃１Ａの後端部１Ａｂと共に回動する。即ち一方のハンドル２Ａの作用点ｆ３に加わる力を一方の切断刃１Ａの回動力へと変換する。尚本実施例においては、上記スライダー機構５を構成するスライダー軸５ａを一方の切断刃後端部１Ａｂに設け、同スライダー溝５ｂを一方のハンドル中途部２Ａｃに設ける例を示しているが、本発明はこれに限定されるものではなく、一方の切断刃後端部１Ａｂにスライダー溝５ｂを設け、一方のハンドル中途部２Ａｃにスライダー軸５ａを設けることも実施に応じ任意である。
【００２９】
又図１・図４に示すように、本実施例に係る手動式ケーブルカッターにおける他方のハンドル２Ｂは、その先端部２Ｂｂを上記一方の切断刃１Ａと対向する他方の切断刃１Ｂの後端部１Ｂｂにボルト締めして連結する。よって該他方の切断刃１Ｂが軸支されている支軸１１の中心Ｏを支点ｆ４として設定されている。又他方のハンドル２Ｂの後端部２Ｂｂに同ハンドルの力点ｆ５が設定されている。
【００３０】
以上説明したように、本実施例にあっては、一方のハンドル２Ａの回動中心となる支点ｆ１を同ハンドルと連結する一方の切断刃１Ａの回動中心たる支軸１１の中心Ｏから積極的に変位して設定し、且つ該一方のハンドル２Ａの中途部２Ａｃをスライダー機構５を介して一方の切断刃１Ａの後端部１Ａｂに連結し該連結した点を同ハンドルの作用点ｆ３として設定することにより、該一方のハンドル２Ａの支点ｆ１と力点ｆ２間に作用点ｆ３を設定し、小さい力で効率良く切断刃１Ａに回動力を付与することができる。
【００３１】
加えて本実施例に係る手動式ケーブルカッターは、上記一方のハンドル２Ａの支点ｆ１、力点ｆ２及び作用点ｆ３の設定構成を更に限定する構成により上記効果を存分に発揮できる。
【００３２】
即ち、図３に示すように、本実施例に係る手動式ケーブルカッターは、一方のハンドル２Ａの支点ｆ１と、該一方のハンドル２Ａと連結する切断刃１Ａの後端部１Ａｂにおける他方の切断刃１Ｂの後端部１Ｂｂとの接点Ｐ１とを支軸１１の中心Ｏを頂点として０度より大きく１８０度より小さい角度θとなるように設定する。
【００３３】
上記のように０＜θ＜１８０と設定することにより、一方のハンドル２Ａ及び一方の切断刃１Ａの円滑なる回動を保障すると共に、後記する支軸中心Ｏ、支点ｆ１及び作用点ｆ３の間隔に関する構成と相俟って、より小さい力で切断刃１Ａを回動する効果、つまり作業者負担を軽減する効果を十分に得ることができる。
【００３４】
上記角度θが０度より大きく９０度以下（０＜θ≦９０）の場合には、図１に示す支軸１１の中心Ｏと一方のハンドル２Ａの支点ｆ１間の長さＬ１と、同ハンドルの支点ｆ１と作用点ｆ３間の長さＬ２と、同ハンドルの作用点ｆ３と支軸１１の中心Ｏ間の長さＬ３の比が０．４〜２．４：３．０〜５．０：３．６〜５．６となるように設定する。
【００３５】
又上記角度θが９０度より大きく１８０度より小さい（９０＜θ＜１８０）場合には、図１に示す支軸１１の中心Ｏと上記一方のハンドル２Ａの支点ｆ１間の長さＬ１と、同ハンドルの支点ｆ１と作用点ｆ３間の長さＬ２と、同ハンドルの作用点ｆ３と支軸１１の中心Ｏ間の長さＬ３の比が０．２〜２．２：３．６〜５．６：３．２〜５．２となるように設定する。
【００３６】
本実施例に係る手動式ケーブルカッターは、既述の如く、上記角度θの範囲に関する構成と、上記支点ｆ１、力点ｆ２及び作用点ｆ３の間隔に関する構成により、一方のハンドル２Ａに加える力を効率良く一方の切断刃１Ａに付与して作業者の負担を軽減できる。
【００３７】
最後に一対の切断刃１Ａ・１Ｂの刃部４の構成について説明する。該刃部４は、図３・図７に示すように、中途部に凸状刃部４ａを設け、該凸状刃部４ａと刃部基端間に円弧状刃部４ｂを設ける構成となっている。更に上記凸状刃部４ａと刃部先端間に直線状刃部４ｃを設ける構成となっている。
【００３８】
使用の際には、上記直線状刃部４ｃにより切断対象のケーブル等を案内して受け入れると共に、上記凸状刃部４ａと上記円弧状刃部４ｂによりケーブル等の外周面を抱持し確実に切断することができる。又切断初期には上記凸状刃部４ａがケーブル等の外周面に食い込み、抜け止めを図ると共に切断を開始する。
【実施例２】
【００３９】
本実施例に係る手動式ケーブルカッターは、基本構成は前記実施例１と同様である。特徴とするところは、前記実施例１のように一方のハンドル２Ａの支点のみを支軸１１の中心Ｏからずらす構成ではなく、図８に示す如く、当該構成に加えて他方のハンドル２Ｂの支点ｆ４も上記一方のハンドル２Ａと同様に支軸１１の中心Ｏからずらす構成とする点にある。
【００４０】
即ち本実施例にあっては、一方のハンドル２Ａにおける支点ｆ１、力点ｆ２及び作用点ｆ３に関する構成は前記実施例１の同様であるので、ここでは前記実施例１における記述を援用する。
【００４１】
又他方のハンドル２Ｂの支点ｆ４、力点ｆ５及び作用点ｆ６に関する構成も上記一方のハンドル２Ａにおける技術思想と同様である。
【００４２】
換言すると、他方のハンドル２Ｂの回動中心となる支点ｆ４を一方のハンドル２Ａと連結する切断刃１Ａに設けた突片３に設定すると共に、該他方のハンドル２Ｂの中途部２Ｂｃと、連結対象の切断刃１Ｂの後端部１Ｂｂとをスライダー機構５を介して連結し該連結した点を該他方のハンドルの作用点ｆ６として設定することにより、該他方のハンドル２Ｂの支点ｆ４と力点ｆ５間に作用点ｆ６を設定する構成を具備する。
【００４３】
又記他方のハンドル２Ｂの支点ｆ４と、該他方のハンドル２Ｂと連結する切断刃１Ｂの後端部１Ｂｂにおける一方の切断刃１Ａの後端部１Ａｂとの接点Ｐ２とを上記支軸１１の中心Ｏを頂点として０度より大きく１８０度より小さい角度θとなるように設定する。
【００４４】
又上記支軸中心Ｏ、上記他方のハンドル２Ｂの支点ｆ４及び作用点ｆ６の間隔に関する構成は、前記実施例１において既述した支軸中心Ｏ、支点ｆ１及び作用点ｆ３の間隔に関する構成と同様であるので、ここでは説明を割愛する。
【００４５】
その他、突片３の固定及び刃部４の形状に関する構成も前記実施例１と同様である。
【００４６】
以上のとおり、本発明に係る手動式ケーブルカッターは、いずれの実施例の場合も、ハンドルに加える力以上の力で切断刃を回動することができ、作業者の負担を軽減できる。
【００４７】
又切断刃に特殊形状の刃部を付与し、より確実にケーブル等を切断することができる。
【００４８】
尚本願において、下限値と上限値間を「〜」で示した数値範囲は、該下限値と上限値間の全ての数値（整数値と小数値）を表したものである。
【符号の説明】
【００４９】
１Ａ・１Ｂ…切断刃、１Ａａ・１Ｂａ…切断刃の先端部、１Ａｂ・１Ｂｂ…切断刃の後端部、２Ａ・２Ｂ…ハンドル、２Ａａ・２Ｂａ…ハンドルの先端部、２Ａｂ・２Ｂｂ…ハンドルの後端部、２Ａｃ・２Ｂｃ…ハンドルの中途部、３…突片、３ａ…固定部、３ｂ…ボルト孔、３ｃ…支軸用孔、４…刃部、４ａ…凸状刃部、４ｂ…円弧状刃部、４ｃ…直線状刃部、５…スライダー機構、５ａ…スライダー軸、５ｂ…スライダー溝、６…凹所、７…ボルト、７ａ…ボルト軸、８…ナット、９…ボルト孔、１１…支軸、１２…ハンドル軸、Ｏ…支軸の中心、Ｐ１…一方の切断刃後端部における他方の切断刃後端部との接点、Ｐ２…他方の切断刃後端部における一方の切断刃後端部との接点、ｆ１…一方のハンドルの支点、ｆ２…一方のハンドルの力点、ｆ３…一方のハンドルの作用点、ｆ４…他方のハンドルの支点、ｆ５…他方のハンドルの力点、ｆ６…他方のハンドルの作用点、θ…一方のハンドルの支点と、一方の切断刃後端部における他方の切断刃後端部との接点間の支軸の中心を頂点とする角度、Ｌ１…支軸の中心とハンドルの支点間の長さ、Ｌ２…ハンドルの支点と作用点間の長さ、Ｌ３…ハンドルの作用点と支軸の中心間の長さ。
【図１】
2015223643.tif 000003
【図２】
2015223643.tif 000004
【図３】
2015223643.tif 000005
【図４】
2015223643.tif 000006
【図５】
2015223643.tif 000007
【図６】
2015223643.tif 000008
【図７】
2015223643.tif 000009
【図８】
2015223643.tif 000010
【手続補正書】
【提出日】平成26年10月27日(2014.10.27)
【手続補正１】
【補正対象書類名】特許請求の範囲
【補正対象項目名】全文
【補正方法】変更
【補正の内容】
【特許請求の範囲】
【請求項１】
支軸に回動可能に軸支される一対の切断刃と、該各切断刃の後端部にそれぞれ連結し該連結した切断刃を回動させる一対のハンドルとを備える手動式ケーブルカッターであって、以下のＡ及びＢの構成を有することを特徴とする手動式ケーブルカッター。
Ａ：上記一対のハンドルの少なくとも一方のハンドルの回動中心となる支点を他方のハンドルと連結する切断刃に設けた突片に設定すると共に、該一方のハンドルの中途部と、連結対象の切断刃の後端部とを、スライダー溝と該溝内で直線運動するスライダー軸から成るスライダー機構を介して連結し該連結した点を同ハンドルの作用点として設定することにより、該一方のハンドルの支点と力点間に作用点を設定する、
Ｂ：上記一方のハンドルの支点と、上記一方のハンドルと連結する切断刃の後端部における他方の切断刃の後端部との接点とを上記支軸の中心を頂点として０度より大きく１８０度より小さい角度となるように設定する。
【請求項２】
上記突片は同突片が設けられる切断刃とは別体であることを特徴とする請求項１記載の手動式ケーブルカッター。
【請求項３】
上記突片は固定部を有し、該固定部を介して上記切断刃に溶接して固定されることを特徴とする請求項２記載の手動式ケーブルカッター。
【請求項４】
上記突片は固定部を有し、該固定部を介して上記切断刃にボルト締めして固定されることを特徴とする請求項２記載の手動式ケーブルカッター。
【請求項５】
上記切断刃に上記ボルト締め用のボルト孔を複数穿設し、該複数のボルト孔を利用して上記突片の固定位置を調整可能としたことを特徴とする請求項４記載の手動式ケーブルカッター。
【手続補正２】
【補正対象書類名】明細書
【補正対象項目名】００１０
【補正方法】変更
【補正の内容】
【００１０】
要述すると、本発明に係る手動式ケーブルカッターは、支軸に回動可能に軸支される一対の切断刃と、該各切断刃の後端部にそれぞれ連結し該連結した切断刃を回動させる一対のハンドルとを備え、以下のＡ及びＢの構成を有することを特徴とするものである。
Ａ：上記一対のハンドルの少なくとも一方のハンドルの回動中心となる支点を他方のハンドルと連結する切断刃に設けた突片に設定すると共に、該一方のハンドルの中途部と、連結対象の切断刃の後端部とを、スライダー溝と該溝内で直線運動するスライダー軸から成るスライダー機構を介して連結し該連結した点を同ハンドルの作用点として設定することにより、該一方のハンドルの支点と力点間に作用点を設定する、
Ｂ：上記一方のハンドルの支点と、上記一方のハンドルと連結する切断刃の後端部における他方の切断刃の後端部との接点とを上記支軸の中心を頂点として０度より大きく１８０度より小さい角度となるように設定する。
【手続補正３】
【補正対象書類名】明細書
【補正対象項目名】００１４
【補正方法】削除
【補正の内容】
【手続補正書】
【提出日】平成27年3月23日(2015.3.23)
【手続補正１】
【補正対象書類名】特許請求の範囲
【補正対象項目名】全文
【補正方法】変更
【補正の内容】
【特許請求の範囲】
【請求項１】
支軸に回動可能に軸支される一対の切断刃と、該各切断刃の後端部にそれぞれ連結し該連結した切断刃を回動させる一対のハンドルとを備える手動式ケーブルカッターであって、以下のＡ乃至Ｅの構成を有することを特徴とする手動式ケーブルカッター。
Ａ：上記一対のハンドルの少なくとも一方のハンドルの回動中心となる支点を他方のハンドルと連結する切断刃に設けた突片に設定すると共に、該一方のハンドルの中途部と、連結対象の切断刃の後端部とを、スライダー溝と該溝内で直線運動するスライダー軸から成るスライダー機構を介して連結し該連結した点を同ハンドルの作用点として設定することにより、該一方のハンドルの支点と力点間に作用点を設定する、
Ｂ：上記一方のハンドルの支点と、上記一方のハンドルと連結する切断刃の後端部における他方の切断刃の後端部との接点とを上記支軸の中心を頂点として０度より大きく１８０度より小さい角度となるように設定する、
Ｃ：上記突片は上記他方のハンドルと連結する切断刃とは別体とする、
Ｄ：上記突片は固定部を有し、該突片の固定部にボルト孔を穿設すると共に上記他方のハンドルと連結する切断刃にもボルト孔を穿設し、上記突片の固定部のボルト孔と上記他方のハンドルと連結する切断刃のボルト孔とにボルトを貫挿し、該ボルトの先端にナットを螺合してボルト締めし、上記突片を上記他方のハンドルと連結する切断刃に固定する、
Ｅ：上記突片の固定部に支軸用の孔を穿設し、該孔に上記支軸を貫挿して上記突片を上記一対の切断刃と共に軸支する。
【請求項２】
上記切断刃に上記ボルト締め用のボルト孔を複数穿設し、該複数のボルト孔を利用して上記突片の固定位置を調整可能としたことを特徴とする請求項１記載の手動式ケーブルカッター。
【手続補正２】
【補正対象書類名】明細書
【補正対象項目名】００１０
【補正方法】変更
【補正の内容】
【００１０】
要述すると、本発明に係る手動式ケーブルカッターは、支軸に回動可能に軸支される一対の切断刃と、該各切断刃の後端部にそれぞれ連結し該連結した切断刃を回動させる一対のハンドルとを備え、以下のＡ乃至Ｅの構成を有することを特徴とするものである。
Ａ：上記一対のハンドルの少なくとも一方のハンドルの回動中心となる支点を他方のハンドルと連結する切断刃に設けた突片に設定すると共に、該一方のハンドルの中途部と、連結対象の切断刃の後端部とを、スライダー溝と該溝内で直線運動するスライダー軸から成るスライダー機構を介して連結し該連結した点を同ハンドルの作用点として設定することにより、該一方のハンドルの支点と力点間に作用点を設定する、
Ｂ：上記一方のハンドルの支点と、上記一方のハンドルと連結する切断刃の後端部における他方の切断刃の後端部との接点とを上記支軸の中心を頂点として０度より大きく１８０度より小さい角度となるように設定する、
Ｃ：上記突片は上記他方のハンドルと連結する切断刃とは別体とする、
Ｄ：上記突片は固定部を有し、該突片の固定部にボルト孔を穿設すると共に上記他方のハンドルと連結する切断刃にもボルト孔を穿設し、上記突片の固定部のボルト孔と上記他方のハンドルと連結する切断刃のボルト孔とにボルトを貫挿し、該ボルトの先端にナットを螺合してボルト締めし、上記突片を上記他方のハンドルと連結する切断刃に固定する、
Ｅ：上記突片の固定部に支軸用の孔を穿設し、該孔に上記支軸を貫挿して上記突片を上記一対の切断刃と共に軸支する。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】